(57)【要約】【課題】貯湯槽の小型化と省エネルギー化をはかることを目的とする。また、端末で同時に異なる出湯温度で利用された場合にも、安定した出湯温度が得られ利便性の向上をはかることを目的とする。【解決手段】熱源を介して加熱された湯水を上方から温度成層的に貯える貯湯槽５と、貯湯槽５の上部から取り出す湯と水を混合して任意の湯温調整を自動的におこなう複数のミキシングバルブ１７と、端末の出湯温度を設定する出湯温度設定手段２１とを備え、ミキシングバルブ１７は複数の出湯経路にそれぞれ設けられ、各ミキシングバルブで所定温度まで降下させた後の湯水を端末まで導くようにするとともに、出湯直後は出湯温度設定手段２１により設定された温度よりも高温の湯が出湯されるようにミキシングバルブを調整し、その後しだいに出湯温度設定手段の設定温度に一致させるよう制御する給湯機。【選択図】図４
2006226673.tif 000002
【特許請求の範囲】
【請求項１】
熱源を介して加熱された湯水を上方から温度成層的に貯える貯湯槽と、前記貯湯槽の上部から取り出す湯と水を混合して任意の湯温調整を自動的におこなう複数のミキシングバルブと、端末の出湯温度を設定する出湯温度設定手段とを備え、前記ミキシングバルブは複数の出湯経路にそれぞれ設けられ、各ミキシングバルブで所定温度まで降下させた後の湯水を端末まで導くようにするとともに、出湯直後は前記出湯温度設定手段により設定された温度よりも高温の湯が出湯されるように前記ミキシングバルブを調整し、その後しだいに前記出湯温度設定手段の設定温度に一致させるよう制御する給湯機。
【請求項２】
圧縮機を有する冷媒循環回路と、貯湯槽の湯水循環用に配置され、途中に前記冷媒循環回路との間で熱交換を行う水熱交換器を接続した水循環路と、前記水循環路に貯湯槽の下部から上部へ湯水を強制循環させ、水熱交換器で加熱された湯水を貯湯槽の上方から温度成層的に貯湯するための循環ポンプと、前記貯湯槽の上部から取り出す湯と水を混合して任意の湯温調整をおこなう複数のミキシングバルブとを備え、前記ミキシングバルブは複数の出湯経路にそれぞれ設けられ、各ミキシングバルブで所定温度まで降下させた後の湯水を端末まで導くようにするとともに、出湯直後は前記出湯温度設定手段により設定された温度よりも高温の湯が出湯されるように前記ミキシングバルブを調整し、その後しだいに前記出湯温度設定手段の設定温度に一致させるよう制御する給湯機。
【請求項３】
貯湯槽の下部に給水される水を減圧する減圧弁を有し、前記減圧弁により減圧された水が各ミキシングバルブに供給されるように構成した請求項１または２記載の給湯機。
【発明の詳細な説明】
【技術分野】
【０００１】
本発明は給湯機に関するものである。
【背景技術】
【０００２】
従来のヒートポンプ給湯機は第１の従来例として特開平１−２２５８３８号公報（特許文献１）に示す如きものがある。図１３において、圧縮機１、凝縮器２、減圧装置３、蒸発器４からなる冷媒回路と、貯湯槽５、循環ポンプ６、上記凝縮器２を接続した給湯回路と、貯湯槽１内の上部に設けたヒータ７と、貯湯槽５の上部および中央部とから各々接続された湯水混合装置８、電動開閉弁９からなり、上記圧縮機１によるヒートポンプ運転で貯湯槽５内部全体を低温湯に沸き上げ、さらに深夜電力を利用して、ヒータ７にて貯湯槽５上部を高温湯に加熱する。そして、通常は電動開閉弁９を閉じて低温湯を貯湯槽５の中央部から湯水混合装置８を介して利用し、高温湯が必要な場合には、電動開閉弁９を開成して高温熱を湯水混合装置８を介して利用する。
【０００３】
また、第２の従来例として貯湯槽５の出口に湯水混合装置８を設けた特開平４−６３４５号公報（特許文献２）に示す如きものがある。図１４において、貯湯槽５に内蔵されたヒータ１０で沸き上げた高温湯と減圧弁１１からの給水を湯水混合装置８に接続し、湯水混合装置８により適温にした湯を浴槽に注湯する。
【特許文献１】特開平１−２２５８３８号公報
【特許文献２】特開平４−６３４５号公報
【発明の開示】
【発明が解決しようとする課題】
【０００４】
しかしながら、上記第１の従来例では、高温湯を出湯した場合に、その出湯停止後には端末（蛇口）までの配管内に高温湯が残り、時間経過とともに配管から放熱し、温度低下する。すなわち、放熱損失が生じるため、その放熱量を余分に沸き上げる必要がある。また、端末で高温湯と市水を混合して適温にする際に、温度調整に手間どり、高温湯をムダに消費する。従って、貯湯槽容量は大きくなるとともに沸き上げるのに必要なエネルギーも増加する。よって、設置スペース、省エネルギー、出湯時の利便性の点で課題を有していた。
【０００５】
本発明は、このような従来の課題を解決するもので、貯湯槽の小型化と省エネルギー化をはかることを目的とする。また、端末で同時に異なる出湯温度で利用された場合にも、安定した出湯温度が得られ利便性の向上をはかることを目的とする。さらに、端末における出湯温度の立ち上げを早くすることを目的とする。
【課題を解決するための手段】
【０００６】
本発明は上記目的を達成するために、熱源を介して加熱された湯水を上方から温度成層的に貯える貯湯槽と、前記貯湯槽の上部から取り出す湯と水を混合して任意の湯温調整を自動的におこなう複数のミキシングバルブと、端末の出湯温度を設定する出湯温度設定手段とを備え、前記ミキシングバルブは複数の出湯経路にそれぞれ設けられ、各ミキシングバルブで所定温度まで降下させた後の湯水を端末まで導くようにするとともに、出湯直後は前記出湯温度設定手段により設定された温度よりも高温の湯が出湯されるように前記ミキシングバルブを調整し、その後しだいに前記出湯温度設定手段の設定温度に一致させるよう制御する給湯機とする。
【発明の効果】
【０００７】
本発明の給湯機は、残湯温度に関係なく給湯負荷および経済性を追求した運転を選択しても安定した出湯温度が得られるとともに端末機器までの配管系の熱損失を少なくして貯湯槽の小型化および省エネルギー化がはかれる。
【０００８】
また、複数のミキシングバルブが各端末からの要望に応じた湯温に調整し供給する。従って、各端末で異なる湯温で出湯および出湯停止がおこなわれても出湯温度は安定するため、利便性が向上する。また、端末における出湯温度の立ち上げを早くすることができる。
【発明を実施するための最良の形態】
【０００９】
第１の発明は、熱源を介して加熱された湯水を上方から温度成層的に貯える貯湯槽と、前記貯湯槽の上部から取り出す湯と水を混合して任意の湯温調整を自動的におこなう複数のミキシングバルブと、端末の出湯温度を設定する出湯温度設定手段とを備え、前記ミキシングバルブは複数の出湯経路にそれぞれ設けられ、各ミキシングバルブで所定温度まで降下させた後の湯水を端末まで導くようにするとともに、出湯直後は前記出湯温度設定手段により設定された温度よりも高温の湯が出湯されるように前記ミキシングバルブを調整し、その後しだいに前記出湯温度設定手段の設定温度に一致させるよう制御する給湯機とするものである。
【００１０】
また第２の発明は、圧縮機を有する冷媒循環回路と、貯湯槽の湯水循環用に配置され、途中に前記冷媒循環回路との間で熱交換を行う水熱交換器を接続した水循環路と、前記水循環路に貯湯槽の下部から上部へ湯水を強制循環させ、水熱交換器で加熱された湯水を貯湯槽の上方から温度成層的に貯湯するための循環ポンプと、前記貯湯槽の上部から取り出す湯と水を混合して任意の湯温調整をおこなう複数のミキシングバルブとを備え、前記ミキシングバルブは複数の出湯経路にそれぞれ設けられ、各ミキシングバルブで所定温度まで降下させた後の湯水を端末まで導くようにするとともに、出湯直後は前記出湯温度設定手段により設定された温度よりも高温の湯が出湯されるように前記ミキシングバルブを調整し、その後しだいに前記出湯温度設定手段の設定温度に一致させるよう制御する給湯機とするものである。
【００１１】
これら第１及び第２の発明によると、出湯温度設定手段により端末の出湯温度が設定される。そして、出湯直後は制御器が出湯温度設定手段の信号より少し高温湯の信号を前記ミキシングバルブに発信し、その後、出湯温度設定手段の信号に一致させる信号を発信する。従って、端末から出湯する湯温の立ち上げははやい。
【００１２】
第３の発明は、貯湯槽の下部に給水される水を減圧する減圧弁を有し、前記減圧弁により減圧された水が各ミキシングバルブに供給されるように構成した請求項１あるいは２項のいずれか１項に記載の給湯機とするものである。
【００１３】
また、第１〜３の発明によると、キッチンでの出湯および風呂の差し湯（追い焚き）など、使用される湯温が異なり、さらに同時に出湯された場合において、前記複数のミキシングバルブは各端末からの要望に応じた湯温に調整し供給する。従って、各端末で出湯および出湯停止がおこなわれても出湯温度は安定するため、利便性が向上する。
【００１４】
（第１の実施の形態）
以下、本発明の第１の実施の形態を図１を参照しながら説明する。図１において、１は圧縮機、２は凝縮器、３は減圧装置、４は蒸発器であり、前記圧縮機１、前記凝縮器２、前記減圧装置３、前記蒸発器４は順次接続され、冷媒循環回路を構成する。５は貯湯槽、１２は循環ポンプ、１３は水熱交換器であり、前記凝縮器２と熱交換をおこなう。そして、前記循環ポンプ１２および前記水熱交換器１３は前記貯湯槽５の下部と上部を連通する
水循環路を構成する。１４は温度検知器であり、前記水熱交換器１３の出口に設けられ、媒体温度を検出して信号を発する。１５は湯温設定手段であり、沸き上げ湯温を設定し、複数の信号を有する。１６は回転数制御器であり、前記温度検知器１４の信号が前記湯温設定手段１５の信号に一致するように前記循環ポンプ１２の回転数を制御する。１７はミキシングバルブであり、前記貯湯槽５の上部から取り出す湯と減圧弁１１で減圧されて前記貯湯槽５の下部に給水される水を混合し、任意に湯温調整する。
【００１５】
つぎに、上記構成において動作を説明する。給湯負荷が多い場合には、前記湯温設定手段１５により高温湯の沸き上げ設定をおこない、給湯負荷が少ない場合には中温水の沸き上げ設定をおこなう。そして、前記圧縮機１から吐出された高温高圧の過熱ガスは前記凝縮器２に流入し、ここで前記循環ポンプ１２から送られ前記水熱交換器１３に流入した水を加熱する。その際に、放熱作用で凝縮液化して前記減圧装置３に流入し、ここで減圧されて前記蒸発器４に流入する。そして、大気熱を吸熱して蒸発ガス化し、前記圧縮機１にもどる。一方、前記貯湯槽５の下部から流出した水は前記循環ポンプ１２を介して前記水熱交換器１３に流入し、冷媒の凝縮熱で加熱され、前記貯湯槽５の上部にたくわえられる。この運転を繰り返しながら前記貯湯槽５内の上部からしだいに全体を貯湯する。この場合に、ヒートポンプで沸き上げた前日の中温水の残湯があるところへ、高温湯の沸き上げ運転をおこなうと、前日の中温水の残湯の上部に高温湯が貯湯される。すなわち、前記貯湯槽５内には異なる温度の湯層が貯湯される。つまり、温度成層型の貯湯がなされるものである。そして、前記貯湯槽５から出湯される場合に、前記ミキシングバルブ１７は高温湯と水道水を混合し、端末で使われる湯温に下げて端末機器へ送るため、端末での出湯温度は安定している。よって、残湯温度と沸き上げ温度が異なっても給湯負荷および経済性を追求した運転を選択することができる。また、端末機器までの配管系の熱損失が少なくなるため、貯湯槽の小型化および省エネルギー化がはかれる。そして、端末での湯温調整も不要となり利便性も向上する。
【００１６】
（第２の実施の形態）
つぎに、本発明の第２の実施の形態を図２を用いて説明する。図２において、第１の実施の形態と同じ構成、動作するものについては、同一符号とし、説明を省略する。１８は湯量検知手段であり、前記貯湯槽５に複数設けられ、貯湯槽内の湯の温度を検出して信号を発する。１９は制御器であり、前記湯量検知手段１８の信号に基づき、前記湯温設定手段１５の温度設定をおこなう。
【００１７】
つぎに、上記構成において動作を説明する。沸き上げ運転の開始直前に前記制御器１９は前記貯湯槽５内に設けた複数の前記湯量検知手段１８の残湯量を検出信号から湯温設定手段１５の設定温度を設定する。すなわち、前日の残湯量より多い場合には、前記湯温設定手段１５の温度設定を低くする。逆に、残湯量が少ない場合には、温度設定を高くする。制御器１９による湯温設定手段１５の設定温度の制御は当初の湯温設定手段１５で設定されている温度を変更することにより行う（例えば、６５℃の温度設定を５０℃に変更する）場合や、湯量検出手段１８により検知された湯量に基づいて自動的に湯温設定手段１５の設定温度を決定する場合でもよい。そして、沸き上げ運転を開始し、前記温度検知器１４の信号が前記湯温設定手段１５の信号と一致するように前記回転数制御器１６が前記循環ポンプ１２の回転数を制御して設定温度に沸き上げる。そして、前記ミキシングバルブ１７で適温に下げて端末機器へ送る。従って、残湯温度と沸き上げ温度が異なっても端末での出湯温度は安定しているため、使用された給湯熱量に応じて、湯温設定を自動的におこなうことができる。
【００１８】
（第３の実施の形態）
つぎに、本発明の第３の実施の形態を図３を用いて説明する。図３において、第１、第２の実施の形態と同じ構成、動作するものについては、同一符号とし、説明を省略する。
２０は複数のミキシングバルブであり、各々は前記貯湯槽５上部から取り出す湯と、減圧弁１１で減圧されて複数のミキシングバルブ２０に給水する水を混合して任意に湯温調整をおこなう。
【００１９】
つぎに、上記構成において動作を説明する。前記貯湯槽５内に沸き上げられた湯を出湯する際に、キッチンおよび風呂追い焚きなど、使用する湯温が異なる条件で同時におこなわれた場合、前記複数のミキシングバルブ２０は端末からの要望に応じた湯温に調整し供給する。従って、各端末で異なる湯温で出湯および出湯停止がおこなわれても出湯温度は安定するため、利便性が向上する。
【００２０】
（第４の実施の形態）
つぎに、本発明の第４の実施の形態を図４を用いて説明する。図４において、第１、第２、第３の実施の形態と同じ構成、動作するものについては、同一符号とし、説明を省略する。２１は出湯温度設定手段であり、端末の出湯温度を設定する。２２は制御器であり、出湯時に前記出湯温度設定手段２１よりも高温湯の信号からしだいに前記出湯温度設定手段２１の信号に一致させる信号を前記ミキシングバルブ１７に発信する。
【００２１】
つぎに、上記構成において動作を説明する。前記出湯温度設定手段２１により端末の出湯温度が設定される。そして、出湯直後は前記制御器２２が前記出湯温設定手段２１の信号より少し高温湯の信号を前記ミキシングバルブ１７に発信し、その後、前記出湯温度設定手段２１の信号に一致させる信号を発信する。従って、端末から出湯する湯温の立ち上げははやくなる。
【００２２】
（第５の実施の形態）
つぎに、本発明の第５の実施の形態を図５を用いて説明する。図５において、第１、第２、第３、第４の実施の形態と同じ構成、動作するものについては、同一符号とし、説明を省略する。２３は加熱器であり、前記水熱交換器１３の下流に設けられている。２４は湯量検知手段であり、前記貯湯槽５に複数設けられている。２５は加熱制御器であり、前記湯量検知手段２４の信号を受けて前記加熱器２３を通電する。２６は時間積算手段であり、前記湯量検知手段２４の信号を受けて前記加熱器２３の通電時間を積算する。２７は記憶手段であり、前回の前記時間積算手段２６を記憶する。２８は湯量比較手段であり、前回と運転開始直前の前記湯量検知手段２４の信号を比較し、一定温度以上の湯量の変化量信号を発信する。２９は運転時間制御手段であり、前記記憶手段２７と前記湯量比較手段２８から前記加熱器２３の通電時間を設定する。
【００２３】
つぎに、上記構成において動作を説明する。沸き上げ運転の開始直前に前記湯量検知手段２４は前記貯湯槽５内の残湯量を検出し、前記湯量比較手段２８に信号を送る。そして、ここで前回の残湯量と今回の残湯量を比較し、前記運転時間制御手段２９に信号を発信する。また、前記記憶手段２７は前回の前記加熱器２３の通電時間の信号を前記運転時間制御手段２９へ発信する。そして、前記運転時間制御手段２９は前記記憶手段２７と前記湯量比較手段２８の信号から今回の沸き上げ運転時の前記加熱器２３の通電時間を設定する。すなわち、前日と今日の残湯量を比較し、残湯量が多い場合には、前記加熱器２３の通電時間を少なく設定する。逆に残湯量が少ない場合には、通電時間を多く設定する。そして、沸き上げ運転を開始し、前記圧縮機１を用いたヒートポンプで前記貯湯槽５の上部から順次、沸き上げた湯を貯湯する。そして、前記湯量検知手段２４の位置まで湯が貯湯されると、前記湯量検知手段２４は前記加熱制御器２５に信号を送り、前記加熱器２３が通電開始される。そして、前記時間積算手段２６が前記加熱器２３の通電時間を積算し、前記運転時間制御手段２９で設定された通電時間まで通電される。そして、前記貯湯槽５内には異なる温度の湯層で貯湯されるが、前記ミキシングバルブ１７は前記貯湯槽５上部から取り出す湯と前記貯湯槽５下部に給水される水を混合し、端末で使われる湯温に下げ
て端末機器に送るため、安定した出湯温度が得られる。また、使用湯量に応じて沸き上げ湯量を可変することができるため、消費電力が削減できる。
【００２４】
（第６の実施の形態）
つぎに、本発明の第６の実施の形態を図６を用いて説明する。図６において、第１、第２、第３、第４、第５の実施の形態と同じ構成、動作するものについては、同一符号とし、説明を省略する。３０は追い焚き運転手段であり、手動で追い焚き運転を設定する。３１は運転制御器であり、前記追い焚き運転手段３０の信号を受けて前記圧縮機１および前記加熱器２３の併用運転をおこなう。
【００２５】
つぎに、上記構成において動作を説明する。緊急に多量の湯が必要となった場合に、前記追い焚き運転手段３０の信号を受け、前記運転制御器３１は前記圧縮機１および前記加熱器２３を通電し、併用運転をおこなう。よって、高加熱能力で追い焚き運転ができる。また、前記貯湯槽５内の残湯温度と異なる温度で追い焚きをおこなっても、出湯時に、前記ミキシングバルブ１７は端末で使われる湯温に下げて端末機器に送る。よって、沸き上げ時間の短縮化および出湯温度の安定化がはかれる。
【００２６】
（第７の実施の形態）
つぎに、本発明の第７の実施の形態を図７を用いて説明する。図７において、第１、第２、第３、第４、第５、第６の実施の形態と同じ構成、動作するものについては、同一符号とし、説明を省略する。３２はミキシングバルブであり、前記貯湯槽５から取り出す湯と前記貯湯槽５下部に給水する水を混合して任意に湯温調整をおこなうとともに、温度を検出して信号を発信する。３３は運転制御器であり、前記ミキシングバルブ３２の信号と前記出湯温度設定手段２１の信号を比較し、前記圧縮機１および前記加熱器２３を通電する。
【００２７】
つぎに、上記構成において動作を説明する。出湯が開始されると、前記ミキシングバルブ３２が出湯温度を検出し、前記運転制御器３３に信号を送る。そして、前記運転制御器３３は前記ミキシングバルブ３２の信号と前記出湯温度設定手段２１の信号を比較する。そして、残湯量が少なくなって出湯温度が低下しはじめると、前記ミキシングバルブ３２の信号は前記出湯温度設定手段２１の信号よりも低温の信号を発信する。それを認識して前記運転制御器３３は前記圧縮機１および前記加熱器２３を通電し、併用運転をおこなう。よって、残湯量の低減を自動的に検出し、自動的に高加熱能力で追い焚き運転をおこなうため、利便性向上と湯切れを防止することができる。
【００２８】
（第８の実施の形態）
つぎに、本発明の第８の実施の形態を図８を用いて説明する。図８において、第１、第２、第３、第４、第５、第６、第７の実施の形態と同じ構成、動作するものについては、同一符号とし、説明を省略する。３４は制御器であり、前記ミキシングバルブ３２の信号を検出して前記湯温設定手段１５の信号を前記出湯温度設定手段２１の信号と等しくなるように切り換える。
【００２９】
つぎに、上記構成において動作を説明する。前記水熱交換器１３の出口媒体温度を前記温度検知器１４で検出し、その信号が前記湯温設定手段１５の信号と一致するように前記回転数制御器１６は前記循環ポンプ１２の回転数を制御しながら追い焚き運転をおこなう。そして、追い焚き運転中に出湯が開始されると、前記ミキシングバルブ３２が出湯温度を検出し、前記制御器３４に信号を送る。そして、前記制御器３４は前記ミキシングバルブ３２の信号と前記出湯温度設定手段２１の信号を比較する。そして、残湯量が少なくなって出湯温度が低下しはじめると、前記制御器３４は前記湯温設定手段１５の信号を前記出湯温度設定手段２１の信号と一致するように切り換える。そのため、前記回転数制御器
１６は前記水熱交換器１３の出口媒体温度が前記出湯温度設定手段２１の信号と一致するように前記循環ポンプ１２の回転数を制御する。よって、前記水熱交換器１３で沸き上げられた湯は出湯される湯温と同じ温度となり、そのまま出湯される。
【００３０】
（第９の実施の形態）
つぎに、本発明の第９の実施の形態を図９を用いて説明する。図９において、第１、第２、第３、第４、第５、第６、第７、第８の実施の形態と同じ構成、動作するものについては、同一符号とし、説明を省略する。３５は湯量検知手段であり、前記貯湯槽５に設けられ、温度を検出して信号を発信する。３６は運転制御器であり、前記湯量検知手段３５の信号を受けて前記圧縮機１を通電し、ヒートポンプによる単独運転をおこなう。
【００３１】
つぎに、上記構成において動作を説明する。前記貯湯槽５から出湯されると、湯面は上部に押し上げられ、湯面が前記湯量検知手段３５の位置に達すると、前記湯量検知手段３５は前記運転制御器３６に信号を送り、前記圧縮機１を通電し、ヒートポンプによる単独運転をおこなう。そして、前記ミキシングバルブ１７は利用する湯温に下げて端末機器に送るため、残湯温度と追い焚き温度が異なっても出湯温度は安定する。よって、省電力で追い焚き運転をおこなうことができるようになる。
【００３２】
（第１０の実施の形態）
つぎに、本発明の第１０の実施の形態を図１０を用いて説明する。図１０において、第１、第２、第３、第４、第５、第６、第７、第８、第９の実施の形態と同じ構成、動作するものについては、同一符号とし、説明を省略する。３７は加熱器であり、前記水熱交換器１３と前記貯湯槽５上部の給湯回路途中に設けられ、複数のヒータなどで構成され出力可変ができる。３８は第１の温度検知器であり、前記水熱交換器１３の出口に設けられ、そこを流れる媒体温度を検出し、信号を発生する。３９は第２の温度検知器であり、前記加熱器３７の出口に設けられ、そこを流れる媒体温度を検出し、信号を発生する。４０は回転数制御器であり、前記第１の温度検知器３８の信号を受けて前記循環ポンプ１２の回転数を制御する。４１は制御器であり、前記第２の温度検知器３９の信号を受けて前記加熱器３７の出力を制御する。
【００３３】
つぎに、上記構成において動作を説明する。ヒートポンプ運転と加熱器の併用運転において、ヒートポンプでの沸き上げ湯温、すなわち前記水熱交換器１３の出口湯温を前記第１の温度検知器３８で検出し、その信号を前記回転数制御器４０に送り、ここで、前記循環ポンプ１２の回転数を制御して、ヒートポンプでの沸き上げ湯温が所定温度になるようにする。その運転時に、前記加熱器３７の出口温度が高くなると前記第２の温度検知器３９が湯温を検出して、前記制御器４１に信号を送り、前記加熱器３７の出力を低減する。よって、併用運転時のヒートポンプでの沸き上げ湯温は、ヒートポンプ単独運転と同じ湯温になるため、高効率で沸き上げ運転ができる。
【００３４】
（第１１の実施の形態）
つぎに、本発明の第１１の実施の形態を図１１を用いて説明する。図１１において、第１、第２、第３、第４、第５、第６、第７、第８、第９、第１０の実施の形態と同じ構成、動作するものについては、同一符号とし、説明を省略する。４２は開閉弁であり、前記循環ポンプ１２、前記水熱交換器１３の給湯回路中に設けられている。４３は制御器であり、前記圧縮機１の運転停止時に前記開閉弁を閉にする。
【００３５】
つぎに、上記構成において動作を説明する。運転停止直後、運転中に湯となった前記水熱交換器１３の出口と前記貯湯槽５間の湯が放熱して温度低下し、密度が大きくなるため、給湯回路を下降する自然循環力が発生し、前記貯湯槽５の上部から湯が逆流しようとする。しかし、前記制御器４３は運転停止時に前記開閉弁４２を閉とするため、自然循環を
防止することができる。よって、前記貯湯槽５内の湯が給湯回路に逆流し、放熱することもない。
【００３６】
（第１２の実施の形態）
つぎに、本発明の第１２の実施の形態を図１２を用いて説明する。図１２において、第１、第２、第３、第４、第５、第６、第７、第８、第９、第１０、第１１の実施の形態と同じ構成、動作するものについては、同一符号とし、説明を省略する。
【００３７】
４４は熱源であり、前記貯湯槽５に内蔵、あるいは前記貯湯槽５の上部と下部を連通する水循環路に設けられている。４５は湯量検知手段であり、前記貯湯槽５に設けられ、温度を検出して信号を発生する。４６は人体認識手段であり、浴室内に設けられ、人体を認識して人数を積算カウントして信号を発生する。４７は運転制御器であり、前記湯量検知手段４５および前記人体認識手段４６の信号から前記熱源４４および前記循環ポンプ１２の運転を制御する。
【００３８】
つぎに、上記構成において動作を説明する。前記貯湯槽５から出湯されて残湯量が前記湯量検知手段４５の位置に達すると、前記湯量検知手段４５は前記運転制御器４７に信号を送る。また、前記人体認識手段４６は浴室内に設けられ、入浴した人数を積算カウントし、前記運転制御器４７に信号を送る。そして、前記運転制御器４７は前記湯量検知手段４５の信号を受けた時の前記人体認識手段４６の信号から、追い焚き運転をおこなうか否かの選択をする。例えば、最後の入浴者であるならば、前記湯量検知手段４５の位置の残湯量で充分であるため、追い焚き運転はしない。よって、無駄な追い焚き運転を防止するため、消費電力は節約できる。そして、電力料金が割安であり、電力負荷の平準化を促進する深夜時間帯に前記貯湯槽の沸き上げ運転をおこなう。
【００３９】
なお、最後の入浴者か否かは予定された入浴者の人数を当初入力することにより行う。
【図面の簡単な説明】
【００４０】
【図１】本発明の第１の実施の形態のヒートポンプ給湯機の構成図
【図２】本発明の第２の実施の形態のヒートポンプ給湯機の構成図
【図３】本発明の第３の実施の形態のヒートポンプ給湯機の構成図
【図４】本発明の第４の実施の形態のヒートポンプ給湯機の構成図
【図５】本発明の第５の実施の形態のヒートポンプ給湯機の構成図
【図６】本発明の第６の実施の形態のヒートポンプ給湯機の構成図
【図７】本発明の第７の実施の形態のヒートポンプ給湯機の構成図
【図８】本発明の第８の実施の形態のヒートポンプ給湯機の構成図
【図９】本発明の第９の実施の形態のヒートポンプ給湯機の構成図
【図１０】本発明の第１０の実施の形態のヒートポンプ給湯機の構成図
【図１１】本発明の第１１の実施の形態のヒートポンプ給湯機の構成図
【図１２】本発明の第１２の実施の形態の給湯機の構成図
【図１３】従来のヒートポンプ給湯機の構成図
【図１４】従来の給湯機の構成図
【符号の説明】
【００４１】
１  圧縮機
２  凝縮器
３  減圧装置
４  蒸発器
５  貯湯槽
１１  減圧弁
１２  循環ポンプ
１３  水熱交換器
１４  温度検知器
１５  湯温設定手段
１６  回転数制御器
１７  ミキシングバルブ
１８  湯量検知手段
１９  制御器
２０  ミキシングバルブ
２１  出湯温度設定手段
２２  制御器
２３  加熱器
２４  湯量検知手段
２５  加熱制御器
２６  時間積算手段
２７  記憶手段
２８  湯量比較手段
２９  運転時間制御手段
３０  追い焚き運転手段
３１  運転制御器
３２  ミキシングバルブ
３３  運転制御器
３４  制御器
３５  湯量検知手段
３６  運転制御器
３７  加熱器
３８  第１温度検知器
３９  第２温度検知器
４０  回転数制御器
４１  制御器
４２  開閉弁
４３  制御器
４４  熱源
４５  湯量検知手段
４６  人体認識手段
４７  運転制御器
【図１】
2006226673.tif 000003
【図２】
2006226673.tif 000004
【図３】
2006226673.tif 000005
【図４】
2006226673.tif 000006
【図５】
2006226673.tif 000007
【図６】
2006226673.tif 000008
【図７】
2006226673.tif 000009
【図８】
2006226673.tif 000010
【図９】
2006226673.tif 000011
【図１０】
2006226673.tif 000012
【図１１】
2006226673.tif 000013
【図１２】
2006226673.tif 000014
【図１３】
2006226673.tif 000015
【図１４】
2006226673.tif 000016